【手続補正書】
【提出日】平成18年6月9日(2006.6.9)
【手続補正１】
【補正対象書類名】特許請求の範囲
【補正対象項目名】全文
【補正方法】変更
【補正の内容】
【特許請求の範囲】
【請求項１】
四重極電極系内部に存在する少なくとも部分的な交流電位差を供給するための、電圧供給手段に接続される四重極電極系であって、
（ａ）中心軸と、
（ｂ）それぞれが前記中心軸とは間隔をおき、該中心軸と平行に延びる第１のロッド対と、
（ｃ）それぞれが前記中心軸とは間隔をおき、該中心軸と平行に延びる第２のロッド対と、
（ｄ）前記第１のロッド対と前記第２のロッド対のうち少なくとも一つを電圧供給手段に接続して、該第１のロッド対と該第２のロッド対との間に少なくとも部分的な交流電位差を供給する電圧接続手段とを有してなり、
前記中心軸上の任意の点において、
前記中心軸に対して直角をなす関連する平面が該中心軸と交差し、前記第１のロッド対と関連する第１の断面対で交差し、前記第２のロッド対と関連する第２の断面対で交差し、
前記関連する第１の断面対は、前記中心軸に対して略対称的に分布し、該中心軸に対して直角をなしかつ前記第１のロッド対の各ロッドの中心を通る第１の軸によって二等分され、
前記関連する第２の断面対は、前記中心軸に対して略対称的に分布し、該中心軸に対して直角をなしかつ前記第２のロッド対の各ロッドの中心を通る第２の軸によって二等分され、
前記関連する第１の断面対と前記関連する第２の断面対は、前記中心軸に対して９０°の回転状態で略非対称的であり、
前記第１の軸と前記第２の軸とは略直角であり、前記中心軸で交差することによって、
使用において、少なくとも部分的な交流電位差が、前記電圧供給手段および前記電圧接続手段から前記第１のロッド対と前記第２のロッド対のうち少なくとも一つに与えられる場合、該第１のロッド対と該第２のロッド対が、振幅Ａ２を持つ四重極高調波と、振幅Ａ４を持つ八重極高調波と、振幅Ａ８を持つ十六重極高調波とを有し、Ａ８がＡ４より小さくＡ４がＡ２の１％より大きい、二次元略四重極電場を生成するよう動作することを特徴とする四重極電極系。
【請求項２】
請求項１記載の四重極電極系を含んでなるイオン操作のための線形イオントラップ。
【請求項３】
Ａ４がＡ２の４％よりも小さいことを特徴とする請求項２記載の線形イオントラップ。
【請求項４】
Ａ４が略四重極電場の十六重極高調波振幅Ａ６よりも大きいことを特徴とする請求項２記載の線形イオントラップ。
【請求項５】
前記第１のロッド対の各ロッドが前記中心軸に略平行であり、横方向寸法Ｄ１を有し、
前記第２のロッド対の各ロッドが前記中心軸に略平行であり、Ｄ１よりも小さい横方向寸法Ｄ２を有し、Ａ４がＡ２の１％よりも大きくなるようＤ１／Ｄ２が選択されることを特徴とする請求項２記載の線形イオントラップ。
【請求項６】
前記第１のロッド対および前記第２のロッド対は略円柱形であり、
前記第１のロッド対において、各ロッドの横方向寸法Ｄ１は各ロッドの半径Ｒ１の２倍であり、
前記第２のロッド対において、各ロッドの横方向寸法Ｄ２は各ロッドの半径Ｒ２の２倍であることを特徴とする請求項５記載の線形イオントラップ。
【請求項７】
前記電圧供給手段が、第１の少なくとも部分的な交流電圧を第１のロッド対に供給する第１の電圧源と、第２の少なくとも部分的な交流電圧を第２のロッド対に供給する第２の電圧源とを含み、前記電圧接続手段が、前記第１のロッド対を前記第１の電圧源に供給する第１の電圧接続手段と、前記第２のロッド対を前記第２の電圧源に供給する第２の電圧接続手段とを含むことを特徴とする請求項６記載の線形イオントラップ。
【請求項８】
前記第１の少なくとも部分的な交流電圧が電圧不均衡量だけ減少し、前記第２の少なくとも部分的な交流電圧が前記電圧不均衡量だけ増加し、前記電圧不均衡量は電場の軸電位を最小化するよう選択されることを特徴とする請求項７記載の線形イオントラップ。
【請求項９】
前記第１のロッド対の各ロッドは、前記四重極電極系の中心軸からの距離がｒ１であり、
前記第２のロッド対の各ロッドは、前記四重極電極系の中心軸からの距離がｒ２であり、ｒ２はｒ１とは等しくなく、
ｒ１／ｒ２は、電場の定電位振幅Ａ０を最小化するよう選択されることを特徴とする請求項６記載の線形イオントラップ。
【請求項１０】
Ａ４がＡ２の６％よりも小さいことを特徴とする請求項２記載の線形イオントラップ。
【請求項１１】
前記四重極電極系から放出されるイオンを検出し、該四重極電極系の外側に配置されかつ前記第２のロッド対の一つのロッドに隣接するイオン検出器をさらに含むことを特徴とする請求項６記載の線形イオントラップ。
【請求項１２】
四重極電極系内部でイオンを選択するための、少なくとも部分的な交流電位差を供給するようにマスフィルター質量分析計中の電圧供給手段に接続される四重極電極系であって、
（ａ）中心軸と、
（ｂ）それぞれが前記中心軸とは間隔をおき、該中心軸と平行に延びる第１のロッド対と、
（ｃ）それぞれが前記中心軸とは間隔をおき、該中心軸と平行に延びる第２のロッド対と、
（ｄ）前記第１のロッド対と前記第２のロッド対のうち少なくとも一つを電圧供給手段に接続して、該第１のロッド対と該第２のロッド対との間に少なくとも部分的な交流電位差を供給する電圧接続手段とを有してなり、
前記中心軸上の任意の点において、
前記中心軸に対して直角をなす関連する平面が前記中心軸と交差し、前記第１のロッド対と関連する第１の断面対で交差し、前記第２のロッド対と関連する第２の断面対で交差し、
前記関連する第１の断面対は、前記中心軸に対して略対称的に分布し、該中心軸に対して直角をなしかつ前記第１のロッド対の各ロッドの中心を通る第１の軸によって二等分され、
前記関連する第２の断面対は、前記中心軸に対して略対称的に分布し、該中心軸に対して直角をなしかつ前記第２のロッド対の各ロッドの中心を通る第２の軸によって二等分され、
前記関連する第１の断面対と前記関連する第２の断面対は、前記中心軸に対して９０°の回転状態で略非対称的であり、
前記第１の軸と前記第２の軸とは略直角であり、前記中心軸で交差することによって、
使用において、少なくとも部分的な交流電位差が、前記電圧供給手段および前記電圧接続手段から前記第１のロッド対と前記第２のロッド対のうち少なくとも一つに与えられる場合、該第１のロッド対と該第２のロッド対が、振幅Ａ２を持つ四重極高調波と、振幅Ａ４を持つ八重極高調波と、振幅Ａ８を持つ十六重極高調波とを有し、Ａ８がＡ４より小さくＡ４がＡ２の０．１％より大きい、二次元略四重極電場を生成するよう動作することを特徴とする四重極電極系。
【請求項１３】
請求項１２記載の四重極電極系と、
前記第１のロッド対と前記第２のロッド対のイオン導入端部で、該第１のロッド対と該第２のロッド対との間にイオンを注入するイオン導入手段と、
を有してなるマスフィルター質量分析計。
【請求項１４】
Ａ４がＡ２の４％よりも小さく、Ａ２の１％よりも大きいことを特徴とする請求項１３記載の質量分析計。
【請求項１５】
Ａ４が略四重極電場の十六重極高調波振幅Ａ６よりも大きいことを特徴とする請求項１３記載の質量分析計。
【請求項１６】
前記第１のロッド対の各ロッドが前記中心軸に略平行であり、横方向寸法Ｄ１を有し、
前記第２のロッド対の各ロッドが前記中心軸に略平行であり、Ｄ１よりも小さい横方向寸法Ｄ２を有し、Ａ４がＡ２の０．１％よりも大きくなるようＤ１／Ｄ２が選択されることを特徴とする請求項１３記載の質量分析計。
【請求項１７】
前記第１のロッド対および前記第２のロッド対は略円柱形であり、
該第１のロッド対において、各ロッドの横方向寸法Ｄ１は各ロッドの半径Ｒ１の２倍であり、
該第２のロッド対において、各ロッドの横方向寸法Ｄ２は各ロッドの半径Ｒ２の２倍であることを特徴とする請求項１６記載の質量分析計。
【請求項１８】
前記電圧供給手段が、第１の少なくとも部分的な交流電圧を前記第１のロッド対に供給する第１の電圧源と、第２の少なくとも部分的な交流電圧を前記第２のロッド対に供給する第２の電圧源とを含み、前記電圧接続手段が、前記第１のロッド対を前記第１の電圧源に供給する第１の電圧接続手段と、前記第２のロッド対を前記第２の電圧源に供給する第２の電圧接続手段とを含むことを特徴とする請求項１７記載の質量分析計。
【請求項１９】
前記第１の少なくとも部分的な交流電圧が電圧不均衡量だけ減少し、前記第２の少なくとも部分的な交流電圧が前記電圧不均衡量だけ増加し、前記電圧不均衡量は電場の軸電位を最小化するよう選択されることを特徴とする請求項１８記載の質量分析計。
【請求項２０】
前記第１のロッド対の各ロッドは、前記四重極電極系の中心軸からの距離がｒ１であり、
前記第２のロッド対の各ロッドは、前記四重極電極系の中心軸からの距離がｒ２であり、
ｒ１／ｒ２は、電場の定電位振幅Ａ０を最小化するよう選択されることを特徴とする請求項１８記載の質量分析計。
【請求項２１】
Ａ４がＡ２の６％よりも小さいことを特徴とする請求項１３記載の質量分析計。
【請求項２２】
選択された質量電荷比範囲内のイオンを処理するために二次元の略四重極電場を確立し、維持する工程であって、前記電場は、振幅Ａ２を持つ四重極高調波と、振幅Ａ４を持つ八重極高調波と、振幅Ａ８を持つ十六重極高調波とを有し、Ａ８がＡ４より小さくＡ４がＡ２の０．１％より大きい工程と、
電場にイオンを導入する工程であって、前記電場は、選択された質量電荷比範囲内のイオンに安定した軌道を提供して、マスフィルターを透過させるためにマスフィルター中のイオンを保持し、選択された質量電荷比範囲外にあるイオンに不安定な軌道を提供し、このようなイオンを除去する工程と、
を有してなる四重極マスフィルターにおいてイオンを処理する方法。
【請求項２３】
前記電場のイオン検出端部で、前記選択された質量電荷比範囲内にあるイオンを検出する工程をさらに含むことを特徴とする請求項２２記載の方法。
【請求項２４】
Ａ４がＡ２の４％よりも小さいことを特徴とする請求項２２記載の方法。
【請求項２５】
Ａ４が略四重極電場の十二重極高調波振幅Ａ６よりも大きいことを特徴とする請求項２２記載の方法。
【請求項２６】
前記四重極マスフィルターは第１のロッド対と第２のロッド対とを有し、該第１のロッド対が該第２のロッド対よりも大きい横方向寸法を有し、Ａ４がＡ２の０．１％よりも大きくなるよう選択され、
第１のロッド対に電圧Ｖ１を供給する工程であって、前記電圧Ｖ１は少なくとも部分的な交流電圧であって、選択された質量電荷比範囲内のイオンとは異なる極性を有する第１の直流成分を有する工程と、
第２のロッド対に電圧Ｖ２を供給する工程であって、前記電圧Ｖ２は少なくとも部分的な交流電圧であって、選択された質量電荷比範囲内のイオンと同じ極性を有する第２の直流成分を有する工程と、
を含むことを特徴とする請求項２２記載の方法。
【請求項２７】
Ｖ２を電圧不均衡量だけ増加させる工程と、
Ｖ１を電圧不均衡量だけ減少させる工程であって、前記電圧不均衡量は電場の軸電位を最小化するよう選択される工程と、
をさらに含むことを特徴とする請求項２６記載の方法。
【請求項２８】
前記第２のロッドは、前記四重極電極系の中心軸からの距離がｒ２であり、
前記第１のロッドは、前記四重極電極系の中心軸からの距離がｒ１であり、
ｒ１／ｒ２は、電場の定電位振幅Ａ０を最小化するよう選択されることを特徴とする請求項２６記載の方法。
【請求項２９】
（ａ）選択された質量電荷比範囲内のイオンを捕獲するために二次元の略四重極電場を確立し、維持する工程であって、前記電場は、振幅Ａ２を持つ四重極高調波と、振幅Ａ４を持つ八重極高調波と、振幅Ａ８を持つ十六重極高調波とを有し、Ａ８がＡ４より小さくＡ４がＡ２の１％より大きい工程と、
（ｂ）選択された質量電荷比範囲内のイオンを捕獲する工程と、
（ｃ）第１の選択された質量電荷比小範囲内の、電場に励起場を加えて捕獲されたイオンの平均運動エネルギーを増加させる工程であって、前記第１の選択された質量電荷比小範囲が選択された質量電荷比範囲内にある工程と、
を有してなる、二次元イオントラップ質量分析計においてイオンの平均運動エネルギーを増加させる方法。
【請求項３０】
Ａ４がＡ２の４％よりも小さいことを特徴とする請求項２９記載の方法。
【請求項３１】
Ａ４が略四重極電場の十二重極高調波振幅Ａ６よりも大きいことを特徴とする請求項２９記載の方法。
【請求項３２】
工程（ａ）がさらに
前記第１のロッド対に、少なくとも部分的な交流電圧である電圧Ｖ１を供給することと、
前記第２のロッド対に、少なくとも部分的な交流電圧である電圧Ｖ２を供給すること
とを含み、
該第１のロッド対および該第２のロッド対は電場の中心軸を囲繞し、該中心軸と略平行に延びることを特徴とする請求項２９記載の方法。
【請求項３３】
前記第１のロッド対が前記第２のロッド対よりも大きな横方向寸法を持ち、Ａ４がＡ２の１％よりも大きくなるよう選択され、さらに
Ｖ２を電圧不均衡量だけ増加させる工程と、
Ｖ１を電圧不均衡量だけ減少させる工程であって、前記電圧不均衡量は電場の軸電位を最小化するよう選択される工程と、
を含むことを特徴とする請求項３２記載の方法。
【請求項３４】
励起場を増加させて、第２の選択された質量電荷比小範囲の捕獲されたイオンに不安定な軌道を与える工程であって、第２の選択された質量電荷比小範囲が選択された質量電荷比範囲内にあり、不安定な軌道を有するイオンはイオントラップから放出される工程と、
イオントラップを離れる際に不安定な軌道を有するイオンを検出する工程と、
をさらに含むことを特徴とする請求項３２記載の方法。
【請求項３５】
二次元イオントラップ質量分析計に対し衝突ガスを供給する工程と、
電場を増加させて、捕獲したイオンを分解する工程と、
をさらに含むことを特徴とする請求項３２記載の方法。
【請求項３６】
四重極電極系内部に存在する少なくとも部分的な交流電位差を供給して、イオンを操作するための二次元の略四重極電場を生成するための、電圧供給手段に接続される四重極電極系であって、
（ａ）中心軸と、
（ｂ）それぞれが前記中心軸とは間隔をおき、該中心軸と平行に延び、横方向寸法Ｄ１を有する第１のロッド対と、
（ｃ）それぞれが前記中心軸とは間隔をおき、該中心軸と平行に延び、Ｄ１よりも小さい横方向寸法Ｄ２を有する第２のロッド対と、
（ｄ）前記第１のロッド対と前記第２のロッド対のうち少なくとも一つを電圧供給手段に接続して、該第１のロッド対と該第２のロッド対との間に少なくとも部分的な交流電位差を供給する電圧接続手段と、
を有してなる四重極電極系。
【請求項３７】
前記中心軸上の任意の点において、
前記中心軸に対して直角をなす関連する平面が該中心軸と交差し、前記第１のロッド対と関連する第１の断面対で交差し、前記第２のロッド対と関連する第２の断面対で交差し、
前記関連する第１の断面対が、前記中心軸に対して略対称的に分布し、該中心軸に対して直角をなしかつ前記第１のロッド対の各ロッドの中心を通る第１の軸によって二等分され、
前記関連する第２の断面対は、前記中心軸に対して略対称的に分布し、該中心軸に対して直角をなしかつ前記第２のロッド対の各ロッドの中心を通る第２の軸によって二等分され、
前記関連する第１の断面対と前記関連する第２の断面対は、前記中心軸に対して９０°の回転状態で略非対称的であり、
前記第１の軸と前記第２の軸とは、略直角であり、中心軸で交差することを特徴とする請求項３６記載の四重極電極系。
【請求項３８】
請求項３６記載の四重極電極系を有してなる、イオンを操作するための線形イオントラップ。
【請求項３９】
前記第１のロッド対および前記第２のロッド対は略円柱形であり、該第１のロッド対において、各ロッドの横方向寸法Ｄ１は各ロッドの半径Ｒ１の２倍であり、該第２のロッド対において、各ロッドの横方向寸法Ｄ２は各ロッドの半径Ｒ２の２倍であることを特徴とする請求項３８記載の線形イオントラップ。
【請求項４０】
前記電場が、振幅Ａ２を持つ四重極高調波と、振幅Ａ４を持つ八重極高調波と、振幅Ａ８を持つ十六重極高調波とを有し、Ａ８がＡ４より小さくＡ４がＡ２の０．１％より大きいことを特徴とする請求項３８記載の線形リニアトラップ。
【請求項４１】
前記電圧供給手段が、第１の少なくとも部分的な交流電圧を前記第１のロッド対に供給する第１の電圧源と、第２の少なくとも部分的な交流電圧を前記第２のロッド対に供給する第２の電圧源とを含み、前記電圧接続手段が、前記第１のロッド対を前記第１の電圧源に供給する第１の電圧接続手段と、前記第２のロッド対を前記第２の電圧源に供給する第２の電圧接続手段とを含むことを特徴とする請求項３８記載の線形イオントラップ。
【請求項４２】
前記第１の少なくとも部分的な交流電圧が電圧不均衡量だけ減少し、前記第２の少なくとも部分的な交流電圧が前記電圧不均衡量だけ増加し、前記電圧不均衡量は電場の軸電位を最小化するよう選択されることを特徴とする請求項４１記載の線形イオントラップ。
【請求項４３】
前記第１のロッド対の各ロッドは、前記四重極電極系の中心軸からの距離がｒ１であり、
前記第２のロッド対の各ロッドは、前記四重極電極系の中心軸からの距離がｒ１とは等しくないｒ２であり、
ｒ１／ｒ２は、電場の定電位振幅Ａ０を最小化するよう選択されることを特徴とする請求項３８記載の線形イオントラップ。
【請求項４４】
Ａ４がＡ２の４％よりも小さく、Ａ２の１％よりも大きいことを特徴とする請求項３８記載の線形イオントラップ。
【請求項４５】
Ａ４が略四重極電場の十二重極高調波振幅Ａ６よりも大きいことを特徴とする請求項３８記載の線形イオントラップ。
【請求項４６】
前記四重極電極系から放出されるイオンを検出し、該四重極電極系の外側に配置されかつ前記第２のロッド対の一つのロッドに隣接するイオン検出器をさらに含むことを特徴とする請求項３８記載の線形イオントラップ。
【請求項４７】
請求項３６記載の四重極電極系と、
前記第１のロッド対と前記第２のロッド対との間にあるイオン導入端部で、該第１のロッド対と該第２のロッド対の間にイオンを注入するイオン導入手段と、
を有してなるマスフィルター質量分析計。
【請求項４８】
前記第１のロッド対および前記第２のロッド対は略円柱形であり、該第１のロッド対において、各ロッドの横方向寸法Ｄ１は各ロッドの半径Ｒ１の２倍であり、該第２のロッド対において、各ロッドの横方向寸法Ｄ２は各ロッドの半径Ｒ２の２倍であることを特徴とする請求項４７記載の質量分析計。
【請求項４９】
前記電場が、振幅Ａ０を持つ定電位と、振幅Ａ２を持つ四重極高調波と、振幅Ａ４を持つ八重極高調波と、振幅Ａ８を持つ十六重極高調波とを有し、Ａ８がＡ４より小さいことを特徴とする請求項４７記載の質量分析計。
【請求項５０】
Ａ４がＡ２の４％よりも小さく、Ａ２の０．１％よりも大きいことを特徴とする請求項４７記載の質量分析計。
【請求項５１】
Ａ４が略四重極電場の十二重極高調波振幅Ａ６よりも大きいことを特徴とする請求項４７記載の質量分析計。
【請求項５２】
前記電圧供給手段が、第１の少なくとも部分的な交流電圧を前記第１のロッド対に供給する第１の電圧源と、第２の少なくとも部分的な交流電圧を前記第２のロッド対に供給する第２の電圧源とを含み、前記電圧接続手段が、前記第１のロッド対を前記第１の電圧源に供給する第１の電圧接続手段と、前記第２のロッド対を前記第２の電圧源に供給する第２の電圧接続手段とを含むことを特徴とする請求項４７記載の質量分析計。
【請求項５３】
前記第１の少なくとも部分的な交流電圧が電圧不均衡量だけ減少し、前記第２の少なくとも部分的な交流電圧が前記電圧不均衡量だけ増加し、前記電圧不均衡量は電場の軸電位を最小化するよう選択されることを特徴とする請求項５２記載の質量分析計。
【請求項５４】
前記第１のロッド対の各ロッドは、前記四重極電極系の中心軸からの距離がｒ１であり、
前記第２のロッド対の各ロッドは、前記四重極電極系の中心軸からの距離がｒ２であり、
ｒ１／ｒ２は、電場の定電位振幅Ａ０を最小化するよう選択されることを特徴とする請求項５２記載の質量分析計。
【請求項５５】
Ａ４がＡ２の６％よりも小さいことを特徴とする請求項５２記載の質量分析計。